(57)【要約】【課題】石が傾斜面から落下した場合であっても、落下する石を法尻まで誘導可能な技術を提供する。【解決手段】傾斜面における石Ｒを覆う本発明に係る落石防護装置１は、石Ｒを挟んだ傾斜面の位置に設けられ傾斜方向に沿って延びる一対のワイヤ２と、石Ｒを覆う被覆部材３と、被覆部材３をワイヤ２に対して傾斜方向において移動自在に連結する連結具４と、を備えることを特徴とする。【選択図】図１
2020147990.tif 000002
【特許請求の範囲】
【請求項１】
傾斜面における石を覆う落石防護装置であって、
前記石を挟んだ前記傾斜面の位置に設けられ傾斜方向に沿って延びる一対のワイヤと、
前記石を覆う被覆部材と、
前記被覆部材を前記ワイヤに対して前記傾斜方向において移動自在に連結する連結具と、
を備えることを特徴とする落石防護装置。
【請求項２】
前記連結具は、
前記ワイヤに沿って移動する移動部材と、
前記一対のワイヤ間を延びる前記被覆部材の被覆ワイヤを支持する支持部材と、
を有することを特徴とする請求項１に記載の落石防護装置。
【請求項３】
前記連結具は、前記移動部材と前記支持部材との間に前記ワイヤと前記被覆ワイヤとの接触を防止する仕切部材を有することを特徴とする請求項２に記載の落石防護装置。
【請求項４】
前記移動部材は、前記仕切部材との間に前記ワイヤを収容する収容部を有することを特徴とする請求項３に記載の落石防護装置。
【請求項５】
前記支持部材は、前記仕切部材との間に前記被覆ワイヤを収容する収容部を有することを特徴とする請求項３又は４に記載の落石防護装置。
【請求項６】
傾斜面における石を覆う落石防護装置が有する、前記石を挟んだ前記傾斜面の位置に設けられ傾斜方向に沿って延びる一対のワイヤと、前記石を覆う被覆部材とを、該被覆部材が前記ワイヤに対して前記傾斜方向において移動自在であるように連結することを特徴とする連結具。
【発明の詳細な説明】
【技術分野】
【０００１】
本発明は、落石防護装置及び連結具に関する。
【背景技術】
【０００２】
道路脇や山腹地盤等に設置され、路上への落石を防止する落石対策工が知られている。落石対策工としては、落石予防工と落石防護工とがある。一般的には、位置エネルギーが大きい石がある傾斜面においては落石予防工が用いられ、位置エネルギーが小さい石がある傾斜面においては落石防護工が用いられる。
【０００３】
例えば、落石の発生源を予め覆うように被せる覆式の落石防護網がある。また、落石の発生源が保全対象物から離れている場合には、傾斜面に立設した支柱部分を落石の導入口とするポケット式の落石防護網がある。落石防護網の場合には、落石の自重をネットにより支える必要があり、ネットを支えるロープやアンカには高強度な部材を用いる（例えば、特許文献１参照）。
【先行技術文献】
【特許文献】
【０００４】
【特許文献１】特許第６４４０８８６号公報
【発明の概要】
【発明が解決しようとする課題】
【０００５】
ところで、石は、傾斜面においては一部が地表に露出しているだけであり、実際には想定外の質量を有している場合がある。このような石に対して落石対策工を施した場合であっても、巨大な石の落下を防ぐことが困難な場合が想定される。また、傾斜面の高い位置にある位置エネルギーが大きい石に対して落石対策工を設置する場合、強度の高い部材を用いる必要があり、対策コストが大きくなることがある。
【０００６】
そこで、本発明は、上記課題に鑑みてなされたものであり、石が傾斜面から落下した場合であっても、落下する石を法尻まで誘導可能な技術を提供することを目的とする。
【課題を解決するための手段】
【０００７】
上記課題を解決するために、本発明は、傾斜面における石を覆う落石防護装置であって、前記石を挟んだ前記傾斜面の位置に設けられ傾斜方向に沿って延びる一対のワイヤと、
前記石を覆う被覆部材と、前記被覆部材を前記ワイヤに対して前記傾斜方向において移動自在に連結する連結具と、を備えることを特徴とする。
【０００８】
また、前記連結具は、前記ワイヤに沿って移動する移動部材と、前記一対のワイヤ間を延びる前記被覆部材の被覆ワイヤを支持する支持部材と、を有していてもよい。
【０００９】
また、前記連結具は、前記移動部材と前記支持部材との間に前記ワイヤと前記被覆ワイヤとの接触を防止する仕切部材を有していてもよい。
【００１０】
また、前記移動部材は、前記仕切部材との間に前記ワイヤを収容する収容部を有していてもよい。
【００１１】
また、前記支持部材は、前記仕切部材との間に前記被覆ワイヤを収容する収容部を有していてもよい。
【００１２】
さらに、上記課題を解決するために、本発明に係る連結具は、傾斜面における石を覆う落石防護装置が有する、前記石を挟んだ前記傾斜面の位置に設けられ傾斜方向に沿って延びる一対のワイヤと、前記石を覆う被覆部材とを、該被覆部材が前記ワイヤに対して前記傾斜方向において移動自在であるように連結することを特徴とする。
【発明の効果】
【００１３】
本発明によれば、石が傾斜面を落下した場合であっても、落下する石を法尻まで誘導することができる。
【図面の簡単な説明】
【００１４】
【図１】本発明に係る落下防護装置の構成を説明するための斜視図である。
【図２】本発明に係る落下防護装置を側方から見た断面図である。
【図３】本発明に係る落下防護装置の誘導連結具の構成を説明するための分解斜視図である。
【図４】本発明に係る落下防護装置の誘導連結具の斜視図である。
【図５】誘導連結具が誘導ワイヤ及び横ワイヤに取り付けられた状態を示す概略図である。
【図６】落石防護装置の作動について説明するための概略図である。
【図７】変形例に係る誘導連結具の分解斜視図である。
【発明を実施するための形態】
【００１５】
以下に、本発明の実施の形態について、図面を参照しながら説明する。
【００１６】
本発明に係る落石防護装置１は、石Ｒが傾斜面に沿って落下する状況下において、石Ｒの落下速度及び跳躍を抑制しながら石Ｒを傾斜面の法尻まで誘導するものである。図１は、本発明に係る落下防護装置１の構成を説明するための斜視図である。図２は、本発明に係る落下防護装置１を側方から見た断面図である。
【００１７】
落石防護装置１は、傾斜面における石Ｒを覆う。落石防護装置１は、石Ｒを挟んだ傾斜面の位置に設けられ傾斜方向に沿って延びる一対の誘導ワイヤ（ワイヤ）２と、石Ｒを覆うワイヤネット（被覆部材）３と、ワイヤネット３を誘導ワイヤ２に対して相対的に移動可能に誘導ワイヤ２に連結する複数の誘導連結具（連結具）４と、を備える。以下、落石防護装置１の構成について具体的に説明する。
【００１８】
一対の誘導ワイヤ２は、鋼製のワイヤであり、傾斜面に一部埋まっている防護対象となる石Ｒを挟んで傾斜面に沿って設けられている。誘導ワイヤ２の上端は、傾斜面において石Ｒより上側においてアンカ２１により傾斜面に固定されている。誘導ワイヤ２の下端は、傾斜面の法尻においてアンカ２２により傾斜面に固定されている。
【００１９】
ワイヤネット３は、防護対象となる石Ｒ全体を覆っている。ワイヤネット３は、石Ｒが落下する場合、落下する石Ｒと共に誘導ワイヤ２に沿って法尻まで移動する。ワイヤネット３は、鋼製の複数の横ワイヤ（被覆ワイヤ）３１と、鋼製の複数の縦ワイヤ３６とを有する。ワイヤネット３は、横ワイヤ３１と縦ワイヤ３６とを格子状に配置することにより形成されている。横ワイヤ３１は、一対の誘導ワイヤ２間を延びている。各横ワイヤ３１は、傾斜面の高さ方向において互いに所定の間隔をあけて設けられている。横ワイヤ３１は、両端部に環状部３２を有する（図５参照）。
【００２０】
縦ワイヤ３６は、一対の誘導ワイヤ２の間で傾斜面に沿って誘導ワイヤ２の延び方向と略平行に延びている。各縦ワイヤ３６は、交差する横ワイヤ３１に編み込まれるようになっている。各縦ワイヤ３６の両端は、傾斜面において最も上側及び最も下側にある横ワイヤ３１に所定の方法により連結されている。
【００２１】
図３は、本発明に係る落下防護装置１の誘導連結具４の構成を説明するための分解斜視図である。図４は、本発明に係る落下防護装置１の誘導連結具４の斜視図である。図５は、誘導連結具４が誘導ワイヤ２及び横ワイヤ３１に取り付けられた状態を示す概略図である。誘導連結具４は、誘導ワイヤ２とワイヤネット３とを連結する。つまり、誘導ワイヤ２とワイヤネット３とは直接的に連結されておらず、誘導連結具４を介して互いに連結されている。なお、説明の便宜上、図面においては、誘導連結具４において誘導ワイヤ２が案内される方向を長手方向Ｌとし、ワイヤネット３の横ワイヤ３１が支持される方向を短手方向Ｗとする。
【００２２】
誘導連結具４は、誘導ワイヤ２と横ワイヤ３１との交点に設けられていて、ワイヤネット３を誘導ワイヤ２に対して傾斜面の傾斜方向において移動自在に連結する。誘導連結具４は、金属製である。誘導連結具４は、摺動板材（移動部材）４１と、仕切板材（仕切部材）４２と、支持板材（支持部材）４３と、を有する。摺動板材４１、仕切板材４２及び支持板材４３は、互いにボルトＢ及びナットＮにより互いに連結されている。
【００２３】
摺動板材４１は、誘導連結具４全体を誘導ワイヤ２に沿って摺動可能である。摺動板材４１は、平面視略矩形状を有する。摺動板材４１は、一対の平坦部４１ａと、案内収容部（収容部）４１ｂと、を有する。一対の平坦部４１ａの間に案内収容部４１ｂが位置する。平坦部４１ａは、摺動板材４１の短手方向Ｗにおける両端部に位置し、摺動板材４１において長手方向Ｌに延びている。平坦部４１ａは、４つの貫通孔４１ｃを有する。貫通孔４１ｃは、長手方向Ｌに沿って所定の間隔をあけて設けられている。
【００２４】
案内収容部４１ｂは、摺動板材４１の短手方向Ｗにおける中央部において長手方向Ｌに延びている。案内収容部４１ｂにおいて誘導ワイヤ２が収容される。案内収容部４１ｂは、一対の平坦部４１ａに挟まれている。案内収容部４１ｂは、摺動板材４１の板厚を一定に保った状態において、支持部材４３とは反対側に平坦部４１ａから湾曲して形成されている。誘導連結具４において、摺動部材４１と仕切板材４２との間で案内収容部４１ｂの位置に、誘導ワイヤ２が挿通される挿通空間Ｓ１が形成されている。なお、誘導ワイヤ２は、挿通空間Ｓ１においては、案内収容部４１ｂの仕切板材４２に面する面に接触している。
【００２５】
仕切板材４２は、誘導ワイヤ２とワイヤネット３の横ワイヤ３１とが互いに直接接触することを防ぐ。仕切板材４２は、平面視略矩形状を有する。仕切板材４２の長手方向Ｌ及び短手方向Ｗにおける寸法は、摺動板材４１と同じである。仕切板材４２は、短手方向Ｗにおける端部付近において、摺動板材４１の貫通孔４１ｃに対応する位置に貫通孔４２ａを有する。
【００２６】
支持板材４３は、ワイヤネット３の横ワイヤ３１を環状部３２において支持する。支持板材４３は、平面視略矩形状を有する。支持板材４３は、一対の平坦部４３ａと、案内収容部（収容部）４３ｂと、を有する。一対の平坦部４３ａの間に案内収容部４３ｂが位置する。平坦部４３ａは、支持板材４３の長手方向Ｌにおける両端部に位置する。平坦部４３ａは、４つの貫通孔４３ｃを有する。各貫通孔４３ｃは、摺動板材４１の貫通孔４１ｃ及び仕切板材４２の貫通孔４２ａに対応する位置に設けられている。
【００２７】
案内収容部４３ｂは、支持板材４３の長手方向Ｌにおける中央部において短手方向Ｗに延びていて平坦部４１ｂに挟まれている。案内収容部４３ｂは、摺動板材４１の案内収容部４１ｂの延び方向に対して交差する方向に延びている。案内収容部４３ｂにおいて、横ワイヤ３１の環状部３２が案内（支持）されている。横ワイヤ３１は、誘導連結具４と共に移動するようになっている。
【００２８】
案内収容部４３ｂは、摺動板材４１の板厚を一定に保った状態において、摺動板材４１とは反対側に平坦部４３ａから湾曲して形成されている。案内収容部４３ｂは、摺動板材４１とは反対側に平坦部４３ａから膨らんで弧状に形成されている。誘導連結具４において、支持板材４３と仕切板材４２との間で案内収容部４３ｂの位置に、横ワイヤ３１が環状部３２において挿通される挿通空間Ｓ２が形成されている。誘導連結具４は、本実施の形態においては、横ワイヤ３１の環状部３２の内側を、摺動板材４１及び仕切板材４２が抜けるようになっているが、支持板材４３のみが環状部３２の内側を抜けるようになっていてもよい。
【００２９】
次に、誘導連結具４による誘導ワイヤ２とワイヤネット３との連結方法について説明する。ワイヤネット３の横ワイヤ３１における環状部３２に一対の誘導ワイヤ２が通っているようにする。次いで、摺動板材４１を案内収容部４１ｂにおいて誘導ワイヤ２に載せ、反対側から仕切板材４２を当て付けて、誘導ワイヤ２を摺動板材４１と仕切板材４２との間で挟む。
【００３０】
摺動板材４１と仕切板材４２とを誘導ワイヤ２に沿って横ワイヤ３１の環状部３２の内側に移動させ、仕切板材４２の側にある横ワイヤ３１の環状部３２が支持板材４３の案内収容部４３ｂにおいて案内されるようにする。最後に、摺動板材４１、仕切板材４２及び支持板材４３における互いに整合した貫通孔４１ｃ，４２ａ，４３ｃに、摺動板材４１の側からボルトＢを通して支持板材４３の側でナットＮを締め付ける。これにより、誘導連結具４による誘導ワイヤ２とワイヤネット３とが連結される。
【００３１】
なお、誘導連結具４による誘導ワイヤ２とワイヤネット３との連結方法はこれに限られず、当業者であれば適宜状況に応じて誘導連結具４により誘導ワイヤ２とワイヤネット３とを連結することができる。例えば、誘導ワイヤ２を横ワイヤ３１の環状部３２に通さなくてもよい。この場合、横ワイヤ３１の環状部３２は、支持板材４３における案内収容部４３ｂのみが通るようになっている。
【００３２】
次に、落石防護装置１の作動について説明する。図６は、落石防護装置１の作動について説明するための概略図であり、図６（ａ）は、落石防護装置１の設置状態を示す図であり、図６（ｂ）は、落石防護装置１の作動状態を示す図である。例えば、地震や豪雨等により、地盤の状況が変化して石Ｒが傾斜面から落下しそうな場合、ワイヤネット３に石Ｒによる荷重が働く。石Ｒが落下する場合、石Ｒからワイヤネット３の横ワイヤ３１への荷重が一定値を超えた場合、荷重はワイヤネット３から誘導連結具４に伝達される。より具体的には、落下しつつある石Ｒから、傾斜面に沿って下側に横ワイヤ３１に働く荷重が誘導連結具４の支持板材４３に伝達する。これにより、誘導連結具４は、誘導ワイヤ２に沿って傾斜面を緩やかに法尻に向かって摺動（移動）し始める。ワイヤネット３は、石Ｒと共に、誘導ワイヤ２に沿った誘導連結具４の摺動に応じて緩やかに法尻に向かって移動する。
【００３３】
以上のような誘導連結具４を有する落石防護装置１によれば、ワイヤネット３は、石Ｒを覆ったまま石Ｒの落下と共に誘導ワイヤ２に沿って移動するので、落石防護装置１に石Ｒによる荷重が過度にかかることを防ぐことができる。落石防護装置１により、想定以上の大きさの石Ｒが落下した場合であっても、石Ｒの落下速度及び傾斜面からの石Ｒの跳躍を抑制しながら、石Ｒを法尻まで誘導することができる。誘導連結具４により落石防護装置１への石Ｒの荷重低減効果を達成することができる。さらに、落石防護装置１により、巨大な石Ｒ等に対する直接的な落石防護対策を実施することができる。
【００３４】
また、誘導連結具４は、摺動板材４１と支持板材４３との間に仕切板材４２を有しているので、誘導ワイヤ２と横ワイヤ３１とが直接的に接触して摩耗することを防ぐことができる。
【００３５】
また、誘導連結具４は、案内収容部４１ｂにより摺動板材４１と仕切板材４２との間に挿通空間Ｓ１が設けられている。誘導連結具４は、挿通空間Ｓ１内で仕切板材４２に面する案内収容部４１ｂの内周面と摺動板材４１に面する仕切板材４２の面との間で、誘導ワイヤ２に接触しているので、石Ｒから所定の荷重がかからない限り誘導ワイヤ２に対して相対的に移動することはない。
【００３６】
次に、変形例に係る誘導連結具５について説明する。図７は、変形例に係る誘導連結具５の分解斜視図である。誘導連結具５は、金属製である。誘導連結具５は、摺動板材（摺動部材）５１と、仕切板材（仕切部材）５２と、２つのＵ字金具（支持部材）と、を有する。摺動板材５１及び仕切板材５２は、Ｕ字金具により互いに連結されている。摺動板材５１は、平面視略方形であり、一対の平坦部５１ａと、案内収容部（収容部）５１ｂと、を有する。各平坦部５１ａは、長手方向Ｌに沿って互いに所定の間隔をあけた２つの貫通孔５１ｃを有する。仕切板材５２は、幅方向Ｗにおける端部付近において、摺動板材５１の貫通孔５１ｃに対応する位置に貫通孔５２ａを有する。その他の摺動板材５１及び仕切板材５２の構成は、誘導連結具４における摺動板材４１及び仕切板材４２とほぼ同じである。
【００３７】
Ｕ字金具は、Ｕ字ボルト５３と、２つのナット５４とを有する。Ｕ字ボルト５３における２つの脚部５３ａの先端にはねじ山部５３ｂが形成されている。Ｕ字ボルト５３の脚部５３ａは、摺動板材５１において案内収容部５１ｂに沿って配置された貫通孔５１ｃ及び仕切板材５２の貫通孔５２ａに挿通される。Ｕ字ボルト５３の脚部５３ａは、仕切板材５２の側から挿通され、摺動板材５１から突出した部分においてナット５５によって係止される。
【００３８】
誘導連結具５において、仕切板材５２とＵ字ボルト５３との間には、横ワイヤ３１の環状部３２を支持する挿通開口Ｓ３が形成される。２つのＵ字ボルト５３において形成される挿通開口Ｓ３は、短手方向Ｗに通じている。つまり、横ワイヤ３１は、誘導ワイヤ２に対して交差する方向（短手方向Ｗ）において誘導連結具５により支持されている。横ワイヤ３１の環状部３２は、Ｕ字ボルト５３の２つの脚部５３ａの間に支持されている。
【００３９】
誘導連結具５を用いた落石防護装置１においても、誘導連結具４を用いた落石防護装置１と同様の効果を奏する。
【００４０】
以上、本発明の好適な実施の形態について説明したが、本発明は上記の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における各構成要素の形状、材料、配置、サイズ等は、本発明の具体的使用態様によって適宜変更されうる。例えば、上記の実施の形態において落石防護装置１は、石Ｒを防護対象としていたが、例えば、傾斜面に生えている木等、傾斜面から落下したり滑り落ちたりすることが危険となる対象物であればあらゆるものに適用することができる。
【００４１】
また、上記の実施の形態において落石防護装置１は単独で使用していたが、本発明に係る落石防護装置１を、他の落石対策工と併用してもよい。これにより、落石による被害をより確実に抑えることができる。
【符号の説明】
【００４２】
１  落石防護装置
２  誘導ワイヤ（ワイヤ）
３  ワイヤネット（被覆部材）
３１  横ワイヤ（被覆ワイヤ）
４  誘導連結具（連結具）
４１  摺動板材（移動部材）
４１ｂ  案内収容部（収容部）
４２  仕切板材（仕切部材）
４３  支持板材（支持部材）
４３ｂ  案内収容部（収容部）
５  誘導連結具（連結具）
５１  摺動板材（移動部材）
５１ｂ  案内収容部（収容部）
５２  仕切板材（仕切部材）
５３  Ｕ字ボルト（支持部材）
【図１】
2020147990.tif 000003
【図２】
2020147990.tif 000004
【図３】
2020147990.tif 000005
【図４】
2020147990.tif 000006
【図５】
2020147990.tif 000007
【図６】
2020147990.tif 000008
【図７】
2020147990.tif 000009